(57)【要約】【課題】  本発明の目的は、指紋認識を通じてユーザを認識し、認識されたユーザに対応される機能が提供されるようにリモコンを設定するリモコン設定方法及びこれを適用したリモコンを提供することにある。【解決手段】  リモコンの設定方法及びこれを適用したリモコンが提供される。本リモコンの設定方法によると、指紋認識を通じてユーザを認識し、認識されたユーザに対応される機能が提供されるようにリモコンを設定するようになる。これにより、ユーザはリモコンの機能を容易に使用することができるようになる。【選択図】      図３
2011066878.tif 000002
【特許請求の範囲】
【請求項１】
電子機器を制御するリモコンの設定方法において、
指紋認識を通じてユーザを認識するステップと、
前記認識されたユーザに対応される機能が提供されるように、前記リモコンを設定するステップと、
を含むリモコンの設定方法。
【請求項２】
前記設定ステップは、
前記認識されたユーザに対応される機能を提供するためのＧＵＩ（Ｇｒａｐｈｉｃ  Ｕｓｅｒ  Ｉｎｔｅｒｆａｃｅ）が前記リモコンの画面に表示されるように設定することを特徴とする請求項１に記載のリモコンの設定方法。
【請求項３】
前記設定ステップは、
前記認識されたユーザに応じて、前記リモコンの画面に表示される少なくとも一つのボタンのサイズを設定することを特徴とする請求項１に記載のリモコンの設定方法。
【請求項４】
前記設定ステップは、
前記認識されたユーザに対応される機能のボタンが、前記リモコンの画面に表示されるように設定することを特徴とする請求項１に記載のリモコンの設定方法。
【請求項５】
前記ボタンは、
前記リモコンで提供される機能のボタンのうち、前記認識されたユーザによって選択されたボタンであることを特徴とする請求項４に記載のリモコンの設定方法。
【請求項６】
前記設定ステップは、
前記認識されたユーザに対応される放送チャネルリストを、前記リモコンの画面に表示されるように設定することを特徴とする請求項１に記載のリモコンの設定方法。
【請求項７】
前記放送チャネルリストは、  
各チャネルに対して嗜好チャネルオプション及びチャネルロック（ｃｈａｎｎｅｌ  ｌｏｃｋ）オプションのうち少なくとも一つを設定できることを特徴とする請求項６に記載のリモコンの設定方法。
【請求項８】
前記放送チャネルリストが変更されると、前記電子機器に前記変更された放送チャネルリスト情報を伝送するステップを更に含むことを特徴とする請求項６に記載のリモコンの設定方法。
【請求項９】
電子機器を制御するリモコンにおいて、
ＧＵＩ（Ｇｒａｐｈｉｃ  Ｕｓｅｒ  Ｉｎｔｅｒｆａｃｅ）を表示するディスプレイ部と、
指紋認識を通じてユーザを認識する指紋認識部と、
前記認識されたユーザに対応される機能が提供されるように設定する制御部と、
を含むリモコン。
【請求項１０】
前記制御部は、
前記認識されたユーザに対応される機能を提供するためのＧＵＩ（Ｇｒａｐｈｉｃ  Ｕｓｅｒ  Ｉｎｔｅｒｆａｃｅ）が画面に表示されるように前記ディスプレイ部を設定することを特徴とする請求項９に記載のリモコン。
【請求項１１】
前記制御部は、
前記認識されたユーザに応じて、前記リモコンの画面に表示される少なくとも一つのボタンのサイズを設定することを特徴とする請求項９に記載のリモコン。
【請求項１２】
前記制御部は、
前記認識されたユーザに対応される機能のボタンが、前記画面に表示されるように前記ディスプレイ部を設定することを特徴とする請求項９に記載のリモコン。
【請求項１３】
前記ボタンは、
前記リモコンで提供される機能のボタンのうち、前記認識されたユーザによって選択されたボタンであることを特徴とする請求項１２に記載のリモコン。
【請求項１４】
前記制御部は、
前記認識されたユーザに対応される放送チャネルリストが画面に表示されるように前記ディスプレイ部を設定することを特徴とする請求項９に記載のリモコン。
【請求項１５】
前記放送チャネルリストは、
各チャネルに対して嗜好チャネルオプション及びチャネルロック（ｃｈａｎｎｅｌ  ｌｏｃｋ）オプションのうち少なくとも一つを設定できることを特徴とする請求項１４に記載のリモコン。
【発明の詳細な説明】
【技術分野】
【０００１】
本発明は、リモコンの設定方法及びこれを適用したリモコンに関し、より詳細には、指紋認識を通じてユーザを認識するリモコンの設定方法及びこれを適用したリモコンに関する。
【背景技術】
【０００２】
最近、リモコンは多様な機能が提供できるように発展している。また、ディスプレイ技術及びタッチスクリーンの発展に伴い、タッチスクリーン機能付きのディスプレイ画面が含まれたリモコンが開発されている。
【０００３】
従来のリモコンは決められた機械ボタンが操作されることでユーザの操作が入力されたが、タッチスクリーンを用いたリモコンは更に多様なボタンやメニューを提供することができるようになった。従って、ユーザはタッチスクリーンの装着されたリモコンを用いて所望する命令を更に多様で容易に入力することができるようになった。
【０００４】
しかし、このようなタッチスクリーン技術が適用されたリモコンであっても、ユーザはリモコンの生産時に設定された全ての機能を把握して使うのは難しいことである。また、リモコンの機能が益々複雑になることにより、ユーザ別に所望する機能を容易に利用できるようにする必要が生じるようになった。
【０００５】
ユーザはリモコンをより容易に使用できることを希望する。これにより、ユーザがリモコンの機能をより簡単で容易に使用できるようにするための方案の模索が要請されている。
【先行技術文献】
【特許文献】
【０００６】
【特許文献１】日本特許公開第２００１−０２８７９０号公報
【特許文献２】日本特許公開第２００９−０８８６５３号公報
【特許文献３】韓国特許公開第２００１−００１０８５号公報
【特許文献４】韓国特許公開第１９９６−０１５１７９Ｂ１号公報
【発明の概要】
【発明が解決しようとする課題】
【０００７】
本発明は、上記問題に鑑みてなされたものであり、本発明の目的とするところは、指紋認識を通じてユーザを認識し、認識されたユーザに対応される機能が提供されるようにリモコンを設定するリモコン設定方法及びこれを適用したリモコンを提供することにある。
【課題を解決するための手段】
【０００８】
前記目的を達成するための本発明の一実施形態に係る電子機器を制御するリモコンの設定方法は、  指紋認識を通じてユーザを認識するステップと、前記認識されたユーザに対応される機能が提供されるように、前記リモコンを設定するステップと、を含む。
【０００９】
そして、前記設定ステップは、前記認識されたユーザに対応される機能を提供するためのＧＵＩ（Ｇｒａｐｈｉｃ  Ｕｓｅｒ  Ｉｎｔｅｒｆａｃｅ）が前記リモコンの画面に表示されるように設定することもできる。
【００１０】
また、前記設定ステップは、前記認識されたユーザに応じて、前記リモコンの画面に表示される少なくとも一つのボタンのサイズを設定することができる。
【００１１】
そして、前記設定ステップは、前記認識されたユーザに対応される機能のボタンが、前記リモコンの画面に表示されるように設定することもできる。
【００１２】
また、前記ボタンは、前記リモコンで提供される機能のボタンのうち、ユーザによって選択されたボタンであることができる。
【００１３】
そして、前記設定ステップは、前記認識されたユーザに対応される放送チャネルリストを、前記リモコンの画面に表示されるように設定することもできる。
【００１４】
また、前記放送チャネルリストは、各チャネルに対して嗜好チャネルオプション及びチャネルロック（ｃｈａｎｎｅｌ  ｌｏｃｋ）オプションのうち少なくとも一つを設定することができる。
【００１５】
そして、前記放送チャネルリストが変更されると、前記電子機器に前記変更された放送チャネルリスト情報を伝送するステップを更に含むことができる。
【００１６】
一方、本発明の一実施形態に係る電子機器を制御するリモコンは、ＧＵＩ（Ｇｒａｐｈｉｃ  Ｕｓｅｒ  Ｉｎｔｅｒｆａｃｅ）を表示するディスプレイ部と、指紋認識を通じてユーザを認識する指紋認識部と、前記認識されたユーザに対応される機能が提供されるように設定する制御部と、を含む。
【００１７】
そして、前記制御部は、前記認識されたユーザに対応される機能を提供するためのＧＵＩ（Ｇｒａｐｈｉｃ  Ｕｓｅｒ  Ｉｎｔｅｒｆａｃｅ）が画面に表示されるように前記ディスプレイ部を設定することもできる。
【００１８】
また、前記制御部は、前記認識されたユーザに応じて、前記リモコンの画面に表示される少なくとも一つのボタンのサイズを設定することもできる。
【００１９】
そして、前記制御部は、前記認識されたユーザに対応される機能のボタンが、画面に表示されるように前記ディスプレイ部を設定することもできる。
【００２０】
また、前記ボタンは、前記リモコンで提供される機能のボタンのうち、ユーザによって選択されたボタンであることができる。
【００２１】
そして、前記制御部は、前記認識されたユーザに対応される放送チャネルリストが画面に表示されるように前記ディスプレイ部を設定することもできる。
【００２２】
また、前記放送チャネルリストは、各チャネルに対して嗜好チャネルオプション及びチャネルロック（ｃｈａｎｎｅｌ  ｌｏｃｋ）オプションのうち少なくとも一つを設定することもできる。
【００２３】
そして、前記制御部は、前記放送チャネルリストが変更されると、前記電子機器に前記変更された放送チャネルリスト情報が伝送されるように制御することもできる。
【図面の簡単な説明】
【００２４】
【図１】本発明の一実施形態に係るＴＶとリモコンを簡略に示した図である。
【図２】本発明の一実施形態に係るリモコンの構造を詳細に示したブロック図である。
【図３】本発明の一実施形態に係るリモコンの設定方法を説明するために提供されるフローチャートである。
【図４】本発明の一実施形態に係る指紋認識を通じて第１ユーザであると認識された場合にリモコンの画面を示す図である。
【図５】本発明の一実施形態に係る指紋認識を通じて第２ユーザであると認識された場合にリモコンの画面を示す図である。
【図６】本発明の一実施形態に係る指紋認識を通じて第３ユーザであると認識された場合にリモコンの画面を示す図である。
【図７】本発明の一実施形態に係る指紋認識を通じて第４ユーザであると認識された場合にリモコンの画面を示す図である。
【図８】本発明の一実施形態に係る指紋認識を通じて第５ユーザであると認識された場合にリモコンの画面を示す図である。
【発明を実施するための形態】
【００２５】
以下に添付図面を参照しながら、本発明の好適な実施の形態について詳細に説明する。
【００２６】
図１は、本発明の一実施形態に係るＴＶ１０とリモコン１００を簡略に示す図である。図１に示すように、ＴＶ１０はリモコン１００によって制御される。図１に示すように、リモコン１００はディスプレイ画面１１０が含まれている。すなわち、本実施形態において、リモコン１００は機械式のボタンが装着された方式ではなく、ディスプレイ画面にボタンが表示される方式であるものとして説明する。
【００２７】
また、ディスプレイ画面１１０はタッチスクリーンの機能が含まれている。従って、ユーザはディスプレイ画面１１０に表示されたボタンのうち所望する機能のボタンをタッチすることで、所望する命令を入力することができるようになる。
【００２８】
また、リモコン１００は指紋認識部２４０を含む。指紋認識部２４０は、ユーザの指の指紋を認識することにより、ユーザが誰かを特定するようになる。そして、リモコン１００は特定されたユーザに合うリモコンのボタン画面をディスプレイ画面１１０に表示するようになる。図１に示すように、リモコン１００は指紋認識部２４０を通じて現在のユーザが第１ユーザであることを認識し、第１ユーザモードでリモコンの画面を提供していることが確認できる。
【００２９】
このように、リモコン１００は指紋認識部２４０を通じてユーザを認識し、認識されたユーザに合うリモコン画面をディスプレイ画面１１０に表示する。
【００３０】
図２は、本発明の一実施形態に係るリモコンの構造を詳細に示すブロック図である。図２に示すように、リモコン１００は、無線通信部２１０、ディスプレイ部２２０、タッチ認識部２３０、指紋認識部２４０、保存部２５０及び制御部２６０を含む。
【００３１】
無線通信部２１０はユーザによって入力された命令をＴＶ１０に伝送する。無線通信部２１０は、ＲＦ（Ｒａｄｉｏ  Ｆｒｅｑｕｅｎｃｙ）信号を用いた無線通信を介してＴＶ１０と通信可能となるように接続される。たとえば、無線通信部２１０は、ジグビー（Ｚｉｇｂｅｅ）、ブルートゥース（Ｂｌｕｅｔｏｏｔｈ）などの方式を通じてＴＶ１０と接続されることもできる。
【００３２】
ディスプレイ部２２０は、ユーザの命令が入力されるボタンを含むＧＵＩ（Ｇｒａｐｈｉｃ  Ｕｓｅｒ  Ｉｎｔｅｒｆａｃｅ）を画面に表示する。具体的に、ディスプレイ部２２０は、指紋認識部２４０を通じて認識されたユーザに対応される機能を提供するためのＧＵＩ（Ｇｒａｐｈｉｃ  Ｕｓｅｒ  Ｉｎｔｅｒｆａｃｅ）を含むリモコン画面を表示するようになる。ディスプレイ部２２０は、チャネル番号及び以外の命令を入力するためのボタンを画面に表示する。具体的なＧＵＩの構成については図４乃至図８を参照して後述する。
【００３３】
タッチ認識部２３０には、ユーザのタッチ操作が入力される。具体的に、タッチ認識部２３０は、ディスプレイ画面に対するユーザのタッチ操作を認識するようになる。これにより、タッチ認識部２３０はタッチスクリーンの機能を実現するようになる。
【００３４】
指紋認識部２４０は指紋認識の技術を通じてユーザの指紋を認識することによりユーザを特定するようになる。指紋認識の技術は生体認識の一つであって、各個人毎に異なる指紋情報を抽出して情報化させる認証方式である。指紋は真皮部分が損傷されない限り変わらない特性を有することから、指紋認識は個々人を認識する方法として使われる。
【００３５】
指紋認識部２４０は認識された指紋情報を用いてユーザを識別する。そして、識別されたユーザ情報を制御部２６０に伝送するようになる。
【００３６】
保存部２５０は、リモコンの動作のためのプログラム、リモコンの画面に表示されるＧＵＩに対するグラフィックデータ等が保存される。また、保存部２５０はユーザ情報が保存されている。ここで、ユーザ情報は、ユーザ指紋情報、ユーザのリモコン設定情報などを含む。そして、ユーザのリモコン設定情報は、ボタンのサイズ情報、ホットキー（Ｈｏｔｋｅｙ）設定情報及びチャネルリスト情報を含む。ここで、ホットキーは、リモコン１００で提供される機能ボタンのうちユーザが嗜好する機能のボタンを別途で選択しておいたボタンを意味する。ホットキーはリモコン１００の画面の別途領域に別に表示される。
【００３７】
制御部２６０は、ユーザの操作に従ってリモコン１００の全般的な動作を制御する。そして、制御部２６０はユーザが入力したＴＶ１０の制御命令に対応される制御信号を生成して無線通信部２１０を介してＴＶ１０に伝送する。
【００３８】
制御部２６０は、指紋認識部２４０を通じて認識されたユーザに対応される機能を提供するためのＧＵＩ（Ｇｒａｐｈｉｃ  Ｕｓｅｒ  Ｉｎｔｅｒｆａｃｅ）が画面に表示されるようにディスプレイ部２２０を設定する。
【００３９】
具体的に、制御部２６０は指紋認識部２４０を通じて認識された指紋に基づいて、保存部２５０のユーザ情報を参考にしてユーザを識別する。そして、制御部２６０はユーザに対応される機能を提供するためのＧＵＩが画面に表示されるようにディスプレイ部２２０を制御するようになる。
【００４０】
具体的に、制御部２６０は認識されたユーザに応じて、リモコン１００の画面に表示される少なくとも一つのボタンのサイズを設定する。すなわち、制御部２６０は認識されたユーザに対応されるボタンのサイズ情報を参考して、設定されたボタンサイズでボタンが表示されるようにディスプレイ部２２０を制御する。
【００４１】
このように、ユーザ別にボタンのサイズ情報が予め設定されているため、制御部２６０はユーザの指に適したサイズでボタンが表示されるように自動で設定できるようになる。リモコン１００のボタンのサイズはユーザ別に嗜好するサイズが異なる。特に、視力が良くないユーザや手の大きいユーザはサイズの大きいボタンを希望する。従って、ユーザは指紋認識を通じてユーザを認識するとリモコン１００のボタンが自分の所望するサイズに表示されるようにリモコン１００を設定することができるようになる。
【００４２】
また、制御部２６０は、認識されたユーザに対応される機能のボタンが画面の別途領域に表示されるようにディスプレイ部２２０を設定することもできる。具体的に、制御部２６０は、リモコン１００で提供される機能のボタンのうちユーザによって選択されたボタンが別途領域（例えば、ホットキー領域）に表示されるように制御する。
【００４３】
具体的に、制御部２６０は指紋認識部２４０を通じて認識されたユーザのホットキーの設定情報を用いて、ユーザが設定しておいたホットキーに該当するボタンがホットキー表示領域に表示されるように制御する。
【００４４】
このように、ユーザが選択したボタンが別途領域に表示されるため、ユーザはよく使用するボタンを別途領域に表示しておいて使用することができる。
【００４５】
また、制御部２６０は、認識されたユーザに対応される放送チャネルリストが画面に表示されるようにディスプレイ部２２０を設定する。ここで、放送チャネルリストは、放送チャネル番号及び放送チャネルの名称が表示された視聴可能な放送チャネルに対するリストである。制御部２６０は放送チャネルリストに対する情報を無線通信部２１０を介してＴＶ１０から受信することもできる。また、制御部２６０は保存部２５０に保存されたユーザ別のチャネルリスト情報を用いてチャネルリストを生成して画面に表示することもできる。
【００４６】
制御部２６０は、ユーザの操作に応じて、放送チャネルリストに含まれた各チャネルに対する嗜好チャネルオプション及びチャネルロック（ｃｈａｎｎｅｌ  ｌｏｃｋ）オプションのうち少なくとも一つを設定することもできる。
【００４７】
ここで、嗜好チャネルオプションは特定チャネルをユーザが嗜好するチャネルに設定するオプションである。制御部２６０は嗜好チャネルとして選択されたチャネルをチャネルリストの一番最初の部分に表示されるように設定することもでき、嗜好チャネルだけが表示されるように設定することもできる。
【００４８】
また、チャネルロックオプションは特定チャネルをユーザが使用できないように設定するオプションである。制御部２６０はチャネルロックの設定されたチャネルをチャネルリストから選択されないように設定することもでき、チャネルリストに表示されないように設定することもできる。
【００４９】
制御部２６０はユーザの操作に応じて放送チャネルリストの項目やオプションを変更することもできる。このように、制御部２６０は放送チャネルリストがユーザによって変更されると、ＴＶ１０に変更された放送チャネルリストの情報が伝送されるように制御する。また、制御部２６０は放送チャネルリストがユーザによって変更されると、保存部２５０に変更された放送チャネルリストの情報が保存されるように制御する。
【００５０】
このように、制御部２６０はユーザによって選択及び設定されたチャネルリストが画面に表示されるように制御する。これにより、リモコン１００は指紋認識を通じてユーザが所望するチャネルリストを自動で画面に表示することができるようになる。
【００５１】
このように、リモコン１００は指紋認識を通じてユーザに多様な機能のＧＵＩを提供することができるようになる。これにより、ユーザは指紋認識を通じてリモコン１００のユーザとして認識して、より容易にリモコンを使用することができるようになる。
【００５２】
以下では、図３を参照して、リモコン１００の設定方法について詳細に説明する。図３は、本発明の一実施形態に係るリモコンの設定方法を説明するために提供されるフローチャートである。
【００５３】
まず、リモコン１００は指紋認識の技術を通じてユーザの指紋を認識する（Ｓ３１０）。そして、リモコン１００は認識された指紋情報に基づいてユーザを識別する。
【００５４】
具体的に、リモコン１００は保存部２５０に保存されたユーザ別の指紋情報を認識された指紋情報と比較することにより、認識された指紋情報が登録された指紋であるかを確認する（Ｓ３２０）。もし、リモコン１００に登録された指紋である場合（Ｓ３２０−Ｙ）、リモコン１００は保存部２５０に保存された指紋情報と認識された指紋情報とを比較してユーザを認識するようになる（Ｓ３４０）。
【００５５】
一方、リモコン１００に登録されていない指紋である場合（Ｓ３２０−Ｎ）、リモコン１００はユーザよりユーザ情報を入力されることによりユーザを登録するようになる（Ｓ３３０）。リモコン１００はユーザ登録時、ユーザの指紋情報も共に入力されるようになる。そして、リモコン１００は登録されたユーザ情報を用いてユーザを認識するようになる（Ｓ３４０）。
【００５６】
その後、リモコン１００は指紋認識部２４０を通じて認識されたユーザに対応される機能を提供するためのＧＵＩ（Ｇｒａｐｈｉｃ  Ｕｓｅｒ  Ｉｎｔｅｒｆａｃｅ）を画面に表示するようになる。
【００５７】
具体的に、リモコン１００は認識されたユーザに応じて、画面に表示される少なくとも一つのボタンのサイズを設定する（Ｓ３５０）。すなわち、リモコン１００は認識されたユーザに対応されるボタンのサイズ情報を参考して、設定されたボタンのサイズにボタンを表示する。ここで、ボタンのサイズ情報はユーザ別に設定されたボタンのサイズに関する情報であり、保存部２５０に保存されておりユーザ情報に含まれた情報である。
【００５８】
このように、ユーザ別にボタンのサイズ情報が予め設定されているため、リモコン１００はユーザの指に適したサイズでボタンが表示されるように自動で設定することができるようになる。リモコン１００のボタンのサイズはユーザ別に嗜好するサイズが異なる。特に、視力が良くないユーザや手の大きいユーザはサイズの大きいボタンを希望する。従って、ユーザは指紋認識を通じてユーザを認識するとリモコン１００のボタンが自分の所望するサイズで表示されるようにリモコン１００を設定することができるようになる。
【００５９】
また、リモコン１００は認識されたユーザに対応される機能のボタンを画面の別途領域に表示することもできる（Ｓ３６０）。具体的に、リモコン１００は提供される機能のボタンのうちユーザによって選択されたボタンを別途領域（例えば、ホットキー領域）に表示する。
【００６０】
例えば、リモコン１００は指紋認識部２４０を通じて認識されたユーザのホットキーの設定情報を用いて、ユーザが設定しておいたホットキーに該当するボタンをホットキー表示領域に表示する。
【００６１】
このように、ユーザが選択したボタンが別途領域に表示されるため、ユーザはよく使用するボタンを別途領域に表示しておいて使用することができるようになる。
【００６２】
また、リモコン１００は、認識されたユーザに対応される放送チャネルリストを画面に表示する（Ｓ３７０）。ここで、放送チャネルリストは、放送チャネル番号及び放送チャネルの名称が表示された視聴可能な放送チャネルに対するリストである。リモコン１００は放送チャネルリストに対する情報を無線通信部２１０を介してＴＶ１０から受信することもできる。また、リモコン１００は保存部２５０に保存されたユーザ別のチャネルリスト情報を用いてチャネルリストを生成して画面に表示することもできる。
【００６３】
そして、リモコン１００はユーザの操作に応じて、放送チャネルリストに含まれた各チャネルに対して嗜好チャネルオプション及びチャネルロック（ｃｈａｎｎｅｌ  ｌｏｃｋ）オプションのうち少なくとも一つを設定することもできる。
【００６４】
ここで、嗜好チャネルオプションは特定チャネルをユーザが嗜好するチャネルに設定するオプションである。リモコン１００は嗜好チャネルとして選択されたチャネルをチャネルリストの一番最初の部分に表示されるように設定することもでき、嗜好チャネルだけが表示されるように設定することもできる。
【００６５】
また、チャネルロックオプションは特定チャネルをユーザが使用できないように設定するオプションである。リモコン１００はチャネルロックが設定されたチャネルをチャネルリストから選択されないように設定することもでき、チャネルリストに表示されないように設定することもできる。
【００６６】
リモコン１００はユーザの操作に応じて放送チャネルリストの項目やオプションを変更することもできる。このように、リモコン１００は放送チャネルリストがユーザによって変更されると、ＴＶ１０に変更された放送チャネルリストの情報を伝送する。また、リモコン１００は放送チャネルリストがユーザによって変更されると、保存部２５０に変更された放送チャネルリストの情報を保存する。
【００６７】
このように、リモコン１００はユーザによって選択及び設定されたチャネルリストを画面に表示する。これにより、リモコン１００は指紋認識を通じてユーザが所望するチャネルリストを自動で画面に表示することができるようになる。
【００６８】
このような過程を通じて、リモコン１００は指紋認識を通じてユーザに多様な機能のＧＵＩを提供することができるようになる。これにより、ユーザは指紋認識を通じてリモコン１００のユーザとして認識して、より容易にリモコンを使用することができるようになる。
【００６９】
以下では、図４乃至図８を参照して、多様なユーザ別のリモコン１００の画面を比較説明する。図４は本発明の一実施形態に係る指紋認識を通じて第１ユーザであると認識された場合のリモコンの画面を示す図である。
【００７０】
図４に示すように、リモコン１００のディスプレイ画面は、ユーザ表示領域４１０、ボタンサイズメニュー領域４２０、ボタン表示領域４３０、ホットキー表示領域４４０及びホットキー対象表示領域４５０を含む。
【００７１】
ユーザ表示領域４１０は、指紋認識部２４０を通じて認識されたユーザを表示する領域である。図４は指紋認識部２４０を通じてリモコン１００のユーザが第１ユーザであると認識された状態を示している。従って、図４のユーザ表示領域４１０には「第１ユーザモード」と表示されている。
【００７２】
ボタンサイズメニュー領域４２０は、ボタンのサイズを設定するためのメニューが表示される領域である。図４のリモコン１００は第１ユーザに対してボタンのサイズが６×５矩形ボタンに設定された状態である。従って、図４のリモコン１００はボタンサイズメニュー領域４２０において、「６×５矩形ボタン」の項目にハイライトが表示された状態であることが確認できる。
【００７３】
ボタン表示領域４３０は、リモコン１００に必要なボタンを表示する領域である。ボタン表示領域４３０に表示されるボタンは、パワーボタン、番号ボタン、方向ボタン、チャネル調節ボタン、ボリューム調節ボタンなどが挙げられる。しかし、この以外の他の機能のボタンも表示されてもよいことは言うまでもない。
【００７４】
リモコン１００は設定されたボタンのサイズに該当するサイズでボタンを画面に表示するようになる。すなわち、図４において、リモコン１００は６×５矩形ボタンのサイズでボタンをボタン表示領域４３０に表示するようになる。
【００７５】
ホットキー表示領域４４０は、ユーザによって選択されたホットキーが表示される領域である。リモコン１００はユーザがよく使用するキーを別途領域であるホットキー表示領域に表示するようになる。
【００７６】
ホットキー対象表示領域４５０は、ホットキーの対象となるボタンが表示される領域である。図４に示すように、多様な種類のボタンがホットキー対象表示領域４５０に表示されることが確認できる。ホットキー対象表示領域４５０に表示されるボタンはすべてリモコン１００で提供される機能に対するボタンである。
【００７７】
リモコン１００はホットキー対象表示領域４５０に表示されたボタンのうちユーザによって選択されたボタンをホットキー表示領域４４０に表示するようになる。たとえば、リモコン１００はホットキー対象表示領域４５０に表示されたボタンのうち特定のボタンがユーザによってホットキー表示領域４４０にドラッグ・アンド・ドロップされると、その特定のボタンをホットキーに設定するようになる。
【００７８】
図４においては、ユーザが「ＣＨ  ＬＩＳＴ」ボタンをホットキー対象表示領域４５０からホットキー表示領域４４０にドラッグ・アンド・ドロップした場合を示している。従って、リモコン１００は「ＣＨ  ＬＩＳＴ」ボタンをホットキーに設定し、「ＣＨ  ＬＩＳＴ」ボタンをホットキー表示領域４４０に表示するようになる。
【００７９】
このような方法で、ユーザは所望するボタンをホットキーとして設定することができる。そして、リモコン１００はユーザによって設定されたホットキーに対する情報を保存部２５０にホットキー設定情報として保存するようになる。従って、後日にユーザ１が指紋認識を通じてまたリモコン１００を使用する場合、リモコン１００は図４に示すように「ＣＨ  ＬＩＳＴ」ボタンがホットキーに設定された状態でホットキー表示領域４４０を構成するようになる。
【００８０】
図５は本発明の一実施形態に係る指紋認識を通じて第２ユーザであると認識された場合のリモコンの画面を示す図である。図５は図４に示されたリモコン１００の画面とほぼ類似しているため、相互の相違点について主に説明する。
【００８１】
図５に示すように、リモコン１００のディスプレイ画面は、ユーザ表示領域４１０、ボタンサイズメニュー領域４２０、ボタン表示領域４３０、チャネルリスト表示領域５１０、及びチャネルリスト関連ボタン表示領域５２０を含む。すなわち、図５の場合、ホットキー表示領域４４０及びホットキー対象表示領域４５０の代わりに、チャネルリスト表示領域５１０及びチャネルリスト関連ボタン表示領域５２０が表示されていることが確認できる。これはユーザの設定に応じて異なることに該当される。
【００８２】
ユーザ表示領域４１０は、指紋認識部２４０を通じて認識されたユーザを表示する領域である。図５は指紋認識部２４０を通じてリモコン１００のユーザが第２ユーザであると認識された状態を示している。従って、図５のユーザ表示領域４１０には「第２ユーザモード」であると表示されている。従って、図５の第２ユーザに対応されるリモコン１００の画面に表示されたＧＵＩは、図４の第１ユーザに対応されるリモコン１００の画面に表示されたＧＵＩと異なっていることが確認できる。このように、リモコン１００は指紋認識を通じて認識されたユーザに応じて互いに異なるＧＵＩを表示するようになる。
【００８３】
ボタンサイズメニュー領域４２０は、ボタンのサイズを設定するためのメニューが表示される領域である。図５のリモコン１００は第２ユーザに対してボタンのサイズが７×６矩形ボタンに設定された状態である。従って、図５のリモコン１００はボタンサイズメニュー領域４２０において、「７×６矩形ボタン」の項目にハイライトが表示された状態であることが確認できる。
【００８４】
ボタン表示領域４３０は、リモコン１００に必要なボタンを表示する領域である。リモコン１００は設定されたボタンのサイズに該当するサイズでボタンを画面に表示するようになる。すなわち、図５において、リモコン１００は７×６矩形ボタンのサイズでボタンをボタン表示領域４３０に表示するようになる。従って、図４と比較した場合、図５のボタン表示領域４３０に表示されたボタンが更に大きいことが確認できる。
【００８５】
このように、リモコン１００はユーザに応じて表示されるボタンのサイズを異なるように設定することができる。従って、ユーザはリモコン１００のボタンが自分が所望するサイズに表示されるように設定することができるようになる。
【００８６】
チャネルリスト表示領域５１０は、ユーザに対応される放送チャネルリストが表示される領域である。放送チャネルリストは放送チャネル名称及び番号表示欄５１３とチャネルオプション表示欄５１６が表示される。放送チャネル名称及び番号表示欄５１３は、放送チャネルの名称と番号が共に表示される。
【００８７】
チャネルオプション表示欄５１６は、各チャネルに対するオプションが表示される。図５に示すように、チャネルオプションは「ＦＡＶ」と「ＬＯＣＫ」がある。「ＦＡＶ」は嗜好チャネルオプションを示し、「ＬＯＣＫ」はチャネルロックオプションを示す。図５においては、ＣＨ６、ＣＨ７及びＣＨ９が嗜好チャネルとして選択され、ＣＨ１１及びＣＨ３０がチャネルロックが設定された状態であるチャネルリストを表示している。
【００８８】
チャネルリスト関連ボタン表示領域５２０は、チャネルリストに関連した機能をするボタンが表示される領域である。
【００８９】
このように、リモコン１００はユーザに応じてチャネルリストを画面に表示することもできる。従って、ユーザはチャネルリストを容易に設定して選択することができるようになる。
【００９０】
図６は本発明の一実施形態に係る指紋認識を通じて第３ユーザであると認識された場合のリモコンの画面を示す図である。
そして、図７は本発明の一実施形態に係る指紋認識を通じて第４ユーザであると認識された場合のリモコンの画面を示す図である。
【００９１】
図６及び図７は、それぞれ第３ユーザ及び第４ユーザに対するリモコンＧＵＩを表示している。図６によると、第３ユーザは６×５矩形ボタンにボタンのサイズを設定し、図７によると、第４ユーザは７×６矩形ボタンにボタンのサイズを設定したことが確認できる。従って、図６に比べて図７のボタン表示領域４３０に表示されたボタンのサイズが更に大きいことが確認できる。
【００９２】
また、図６と図７はホットキー表示領域４４０に表示されたホットキーが互いに異なることが確認できる。このように、リモコン１００はユーザに応じて互いに異なるホットキーを設定できることが確認できる。
【００９３】
図８は、本発明の一実施形態に係る指紋認識を通じて第５ユーザであると認識された場合のリモコンの画面を示す図である。図８は図５と比較した場合、チャネルリストのチャネルとオプションが異なっていることが確認できる。このように、ユーザに応じてチャネルリストを互いに異なるように設定できることも確認できる。
【００９４】
このように、リモコン１００は指紋認識を通じてユーザ別に多様な機能のＧＵＩを提供できるようになる。従って、ユーザは指紋認識を通じてリモコン１００のユーザとして認識し、より容易にリモコンを使用することができるようになる。
【００９５】
本発明の多様な実施形態によると、指紋認識を通じてユーザを認識し、認識されたユーザに対応される機能が提供されるようにリモコンを設定するリモコン設定方法及びこれを適用したリモコンを提供することができるようになり、ユーザはリモコンの機能を容易に使用することができるようになる。
【００９６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011066878.tif 000003
【図２】
2011066878.tif 000004
【図３】
2011066878.tif 000005
【図４】
2011066878.tif 000006
【図５】
2011066878.tif 000007
【図６】
2011066878.tif 000008
【図７】
2011066878.tif 000009
【図８】
2011066878.tif 000010